(57)【要約】【課題】粒状形の動物用排尿処理材の排尿吸収部を適正に発色せしめ、使用前と使用後を適切に判別できるようにする。【解決手段】水溶性染料によって染色された吸水性粒状体１又は水溶性染料の粉末４を含有する吸水性粒状体１と、該吸水性粒状体１の表面に塗布された多数の接着剤非塗布部６ｂと接着剤塗布部６ａから成る非連続水溶性接着剤層６と、該非連続水溶性接着剤層６を介して上記吸水性粒状体１の表面に接着された吸水性表層２とを有し、動物の排尿が上記吸水性表層２と非連続水溶性接着剤層６を通して上記吸水性粒状体１中に浸透し、上記水溶性染料が同非連続水溶性接着剤層６を通して該排尿中に溶出して上記吸水性表層２を染色する構成とした粒状形の動物用排尿処理材。【選択図】        図１
2005318902.tif 000002
【特許請求の範囲】
【請求項１】
水溶性染料によって染色された吸水性粒状体又は水溶性染料の粉末を含有する吸水性粒状体と、該吸水性粒状体の表面に塗布された多数の接着剤非塗布部と接着剤塗布部から成る非連続水溶性接着剤層と、該非連続水溶性接着剤層を介して上記吸水性粒状体の表面に接着された吸水性表層とを有し、動物の排尿が上記吸水性表層と非連続水溶性接着剤層を通して上記吸水性粒状体中に浸透し、上記水溶性染料が同非連続水溶性接着剤層を通して該排尿中に溶出して上記吸水性表層を染色する構成としたことを特徴とする粒状形の動物用排尿処理材。
【発明の詳細な説明】
【技術分野】
【０００１】
本発明は猫等の愛玩動物の排尿を吸収する粒状形の動物用排尿処理材に関する。
【背景技術】
【０００２】
出願人は特許第２５３４０３１号において、排尿を吸収すると発色する粒状処理材を提供している。この処理材はその実施例に記載するように、核部分（吸水性粒状体）の表面を覆う吸水性の表層を有し、該表層を通して核部分に排尿が吸収されると、核部分を染色せる染料分が表層に浸潤して表層を染色し、使用後と使用前を判別できるようにしている。
【０００３】
又は上記表層を通して核部分に排尿が吸収されると、非水溶性顔料を含有する核部分の色を表層を通し透視せしめ、使用後と使用前を判別できるようにしている。
【０００４】
上記各判別法は上記特許の請求項１に記載する、「吸水性を有する動物用排尿処理材であって、上記処理材が排尿を吸収すると核部分の色を露見せしめる表層にて被覆されていることを特徴とする動物用排尿処理材」の発明中に包含される。
【発明の開示】
【発明が解決しようとする課題】
【０００５】
上記動物用排尿処理材はトレー等の便器に多数敷き詰めて愛玩動物の排尿に供するものであるが、上記特許発明によれば、使用部分（排尿された部分）と未使用部分（排尿されていない部分）の判別が容易にでき、使用部分のみの交換を行うことができるので経済的であり、又放置して異臭を放つ問題も解消でき、無害である等の利点を有し、広く実用されている。
【０００６】
本発明はこの特許発明を基礎としつつ、その具体化技術について新たな提案をなすものである。
【課題を解決するための手段】
【０００７】
本発明に係る粒状形の動物用排尿処理材は前記特許発明と同様、水溶性染料によって染色された吸水性粒状体又は水溶性染料の粉末を含有する吸水性粒状体と、該吸水性粒状体の表面を覆う吸水性表層を有する。
【０００８】
そして上記吸水性表層と吸水性粒状体とを、同粒状体の表面に塗布された多数の接着剤非塗布部と接着剤塗布部から成る非連続水溶性接着剤層を介して接着した構造を採る。
【０００９】
動物の排尿は上記吸水性表層と非連続水溶性接着剤層の接着剤非塗布部を通して、又は接着剤塗布部を溶解して吸水性粒状体中に浸透し、上記水溶性染料はこの浸透した排尿中に溶出して上記非連続水溶性接着剤層を通して吸水性表層を染色する。これにより使用部分と未使用部分の判別が的確に行える。
【００１０】
上記非連続水溶性接着剤層は吸水性粒状体と吸水性表層との複合構造を健全に維持しつつ、排尿吸収により染色された排尿吸収処理材のみを局部的に除去し得る。
【発明を実施するための最良の形態】
【００１１】
以下本発明の実施の形態を図１乃至図４に基づき説明する。
図１に示す動物用排尿処理材は、１ミリメートルから２０ミリメートルの大きさに造粒した吸水性粒状体１を主体とし、該吸水性粒状体１の表面を薄く覆う吸水性表層２を有する。
【００１２】
上記粒状形の動物用排尿処理材は、上記吸水性粒状体１を水溶性染料によって染色する。又は図１Ａに示すように、吸水性粒状体１中に水溶性染料の粉末４を含有せしめる。これを上記吸水性表層２にて覆う。
【００１３】
図１Ｂに示すように、上記吸水性表層２と吸水性粒状体１とを、同粒状体１の表面に塗布された多数の接着剤塗布部６ａと接着剤非塗布部６ｂから成る非連続水溶性接着剤層６を介して接着する。該接着剤はポリビニールアルコール（ＰＶＡ）に代表される水溶性接着剤である。
【００１４】
吸水性粒状体１に適度な量の接着剤をスプレーすることにより、接着剤は吸水性粒状体１の表面に斑に付着され、上記接着剤塗布部６ａと同非塗布部６ｂとが形成される。
【００１５】
図１に示す吸水性粒状体１は植物繊維又は植物粉（木材のバージンパルプ又は古紙再生パルプ又は竹パルプ等の植物繊維、これらの植物粉）３を主材とし、同粒状体１中には炭酸カルシウムやクレー、タルク等の無機充填材１７を含有せしめて適度な重量を付加し、飛散を防止する。
【００１６】
又上記粒状体１中には上記無機充填材１７と共に、澱粉又は／及びカルボキシルメチルセルロース（ＣＭＣ）等の粘着剤の粉末５を含有し、更にこれらと一緒にポリアクリル酸ナトリウムに代表される吸水性ポリマーの粉末１６を含有せしめ、吸水性と保水性を富有せしめる。
【００１７】
同様に図１に示す上記吸水性表層２は植物繊維又は植物粉（木材のバージンパルプ又は古紙再生パルプ又は竹パルプ等の植物繊維、これらの植物粉）３を主材とする。
【００１８】
これらパルプに代表される植物繊維は０．１〜１５ミリ程度の長さの繊維長を有するものを用いる。
【００１９】
又上記吸水性表層２中には澱粉又は／及びカルボキシルメチルセルロース（ＣＭＣ）等の粘着剤の粉末５を含有し、これらと一緒に吸水性と保水性に富むポリアクリル酸ナトリウムに代表される吸水性ポリマーの粉末１６を含有する。
【００２０】
上記吸水性ポリマーは吸水性と保水性に優れ、吸水すると膨潤し排尿を的確に捕捉する。他方上記粘着剤５は水分（排尿）を吸収すると膨潤し粘着性を発揮する水反応性粘着剤であり、その粘着性により排尿を受けた粒状体１相互を粘着して、図４に示すように小塊７を形成する。
【００２１】
上記図１に示す吸水性粒状体１を形成するパルプに代表される植物繊維又は植物粉３と、澱粉又は／及びカルボキシルメチルセルロース（ＣＭＣ）から成る粘着剤の粉末５と、無機充填材の粉末１７と、吸水性ポリマーの粉末１６の配合比は下記の通りである。
【００２２】
植物繊維又は植物粉：５０〜９７％
粘着剤の粉末：１〜３０％
無機充填材の粉末：１〜４０％
吸水性ポリマーの粉末：１〜３０％
【００２３】
而して図１に示す吸水性粒状体１は、上記植物繊維又は植物粉３と、粘着剤の粉末５と、吸水性ポリマーの粉末１６と、無機充填材の粉末１７を混合すると共に、これに適量の水溶性染料の粉末４を添加混合し、加水混練した後、造粒機にかけて同粒状体１を圧縮成形する。
【００２４】
上記水溶性染料の粉末４は加水量により水に溶解して粒状体１を染色する。又は水溶性染料の粉末４は加水量を少なくすることにより粉末状態を保つ。又上記澱粉、カルボキシルメチルセルロース（ＣＭＣ）等の粘着剤５、及び吸水性ポリマーの粉末１６は上記加水混練により部分反応し、粉末状態を保つ。
【００２５】
又は上記水溶性染料の粉末４を混合せずに吸水性粒状体１を造粒し、この吸水性粒状体１の表面に水溶性染料の溶解液をスプレーし、同粒状体１を着色する。これにより図２に示すように、上記染料溶解液は吸水性粒状体１の表層部に着色層８を形成する。
【００２６】
上記図１に示す吸水性粒状体１を乾燥した後、又は湿潤状態において同粒状体１の表面に前記ポリビニールアルコールに代表される水溶性接着剤をスプレーし、前記接着剤塗布部６ａと接着剤非塗布部６ｂから成る非連続水溶性接着剤層６を形成する。
【００２７】
次に図１に示すように、上記非連続水溶性接着剤層６を形成した吸水性粒状体１の表面に、下記の配合比から成る植物繊維又は植物粉３と、澱粉又は／及びカルボキシルメチルセルロース（ＣＭＣ）等の粘着剤の粉末５と、吸水性ポリマーの粉末１６の混合材を乾燥状態でまぶし、同粒状体１を覆う吸水性表層２を形成する。
【００２８】
植物繊維又は植物粉：４０〜９８％
粘着剤の粉末：１〜４０％
吸水性ポリマーの粉末：１〜４０％
【００２９】
吸水性表層２と吸水性粒状体１とは上記非連続水溶性接着剤層６を介して強固に接着し、吸水性表層２の成分の剥落を防止して表層の層着を健全に維持する。
【００３０】
上記図１に示す吸水性粒状体１は圧縮して造粒したことにより、植物繊維又は植物粉３が高密度であり吸水性粒状体１の空隙度は吸水性表層２に比べ低く、他方上記吸水性表層２は乾燥状態で非圧縮状態でまぶし付けして成層されたものであるから、植物繊維又は植物粉３が粗密度であり吸水性粒状体１に比べ高い空隙度を有する。従って吸水性表層２は排尿を迅速に吸収し、吸水性粒状体１に浸透せしめる。
【００３１】
上記吸水性表層２の形成手段として、例えば図３に示すように、回転ドラム９内に上記吸水性表層２の組成材を乾燥状態で投入すると共に、上記非連続水溶性接着剤層６を形成した吸水性粒状体１を投入し、回転ドラム９の回転により同ドラム９の内面において吸水性粒状体１を転動しつつ、吸水性表層２の組成材３，５，１６を同粒状体１の表面にまぶし付けする。
【００３２】
動物の排尿は上記吸水性表層２と非連続水溶性接着剤層６の接着剤非塗布部６ｂを通して上記吸水性粒状体１中に速やかに浸透し、又は排尿は上記非連続水溶性接着剤層６の接着剤塗布部６ａを溶解しつつ漸次吸水性粒状体中に浸透し、この時上記吸水性粒状体１内において溶解し同粒状体１を染色せる水溶性染料、又は吸水性粒状体１中に溶解せずに含有せる水溶性染料の粉末４はこの浸透した排尿中に溶出して上記非連続水溶性接着剤層６を通して吸水性表層２を染色する。
【００３３】
これにより使用部分（排尿部分）と未使用部分（非排尿部分）の判別が的確に行える。
【図面の簡単な説明】
【００３４】
【図１】吸水性粒状体を水溶性染料によって染色した、又は吸水性粒状体に水溶性染料の粉末を含有した粒状形の動物用排尿処理材を示す断面図であり、Ａ，Ｂ，Ｃはその製造工程を示す図である。
【図２】図１における水溶性染料を吸水性粒状体の表面に塗布した粒状形の動物用排尿処理材を示す断面図。
【図３】吸水性粒状体の表面に水溶性接着剤を介して吸水性表層をまぶし付けする方法を例示する断面図。
【図４】粒状形の動物用排尿処理材を多数敷き詰めて排尿した場合の状態を説明する平面図。
【符号の説明】
【００３５】
１…吸水性粒状体、２…吸水性表層、３…植物繊維又は植物粉、４…水溶性染料の粉末、５…粘着剤の粉末、６…接着剤層、６ａ…接着剤塗布部、６ｂ…接着剤非塗布部、７…小塊、８…着色層、９…回転ドラム、１６…吸水性ポリマーの粉末、１７…無機充填材の粉末
【図１】
2005318902.tif 000003
【図２】
2005318902.tif 000004
【図３】
2005318902.tif 000005
【図４】
2005318902.tif 000006